(57)【要約】【課題】  複数のスラットを閉じた場合の室内にいる人の閉塞感を緩和し、複数のスラットを開いた状態でも、室内へ採光することを可能とする。そうした高機能化を達成しつつ、製造コストの上昇は抑える。【解決手段】  ブラインド(10)は、上下方向に間隔を介して配列された複数のスラット（20,20,・・・）を備えるとともに前記複数のスラット（20,20,・・・）を開閉可能に形成している。  前記各スラット(20)は、透明な樹脂基板(21)の片面に金属薄膜層(22)を形成したハーフミラーである。各スラット(20)の樹脂基板(21)は、内部に空洞(23)を形成することで断熱性能を高め、省エネルギに寄与させることとすると、好ましい。【選択図】  図２
2016156254.tif 000002
【特許請求の範囲】
【請求項１】
上下方向に間隔を介して配列された複数のスラットを備えるとともに前記複数のスラットを開閉可能に形成したブラインドであって、
前記各スラットは、透明な樹脂基板の片面に金属薄膜層を形成したハーフミラーであるブラインド。
【請求項２】
前記各スラットの樹脂基板は、内部に空洞を形成した請求項１に記載のブラインド。
【請求項３】
前記各スラットは、屋外側に向ける面が各スラットの長手方向に垂直な断面で凸状の湾曲形状である請求項１または請求項２に記載のブラインド。
【発明の詳細な説明】
【技術分野】
【０００１】
本発明は、上下方向に間隔を介して配列した複数のスラットを備えるブラインドに関する。
【背景技術】
【０００２】
一般的に、上下方向に間隔を介して配列した複数のスラット構造のブラインドは、採光用の窓に取り付けられる。複数のスラットにおける上下方向に対する傾きを変化させることで開閉可能である。また、複数のスラットの傾きを調整することで、屋外側から見られないように室内を目隠ししたり、屋外からの光を遮断したりする。あるいは、複数のスラットの間を開けて外側からの光を室内へ取り入れる採光機能を発揮する。
【０００３】
この種のブラインドの場合、室内から屋外の様子を見るには、複数のスラットをほぼ水平状態に開く必要がある。しかし、屋外から入射する光は斜めであるので、各スラットの面で遮られてしまう。
室内へ採光するには、複数のスラットの角度を光の入射角度に合わせる必要がある。そのために複数のスラットの角度が斜めになる。この状態では、室内から屋外の様子を見ることは難しくなる。
【０００４】
一方、複数のスラットを水平方向に開いた状態で室内へ採光するために、各スラットにおける屋外側の面に平坦な鏡面を形成し、前記鏡面に当たった光が反射して室内へ導入可能なブラインドも提供されている。例えば、特許文献１では、スラットの傾き角度を変化させても、十分な採光性を確保可能なブラインドを開発している。
【先行技術文献】
【特許文献】
【０００５】
【特許文献１】特開２０１５−７３３６号公報
【発明の概要】
【発明が解決しようとする課題】
【０００６】
特許文献１では、複数のスラットのうち少なくとも一部のスラットの表面が平坦な鏡面からなる基準平面であると仮定した場合の該基準平面に入射された光の正反対の方向とは異なる方向に反射させる反射特性を有することで、スラットの傾き角度を変化させても十分な採光性を確保するとしている。この場合、スラットの表面に上記の反射特性を持つように加工するにはコスト高となる。
【０００７】
特許文献１に開示された技術によっても、他の一般的なブラインドにおいても、室内にいる人にとって閉塞感が生じてくる問題を解消することはできない。複数のスラットを閉じた場合は、室内から屋外の様子を見ることはできないからである。
一方、複数のスラットを水平方向に開いた状態でも、コスト高にならずに室内へ採光できるようにすることは、以前として課題であった。
【０００８】
本発明が解決しようとする課題は、複数のスラットを閉じた場合の室内にいる人の閉塞感を緩和し、複数のスラットを開いた状態でも、コスト高にならずに室内へ採光することを可能とするブラインドを提供することにある。
【課題を解決するための手段】
【０００９】
（第一の発明）
第一の発明は、  上下方向に間隔を介して配列された複数のスラット（20,20,・・・）を備えるとともに前記複数のスラット（20,20,・・・）を開閉可能に形成したブラインド(10)に係る。
前記各スラット(20)は、透明な樹脂基板(21)の片面に金属薄膜層(22)を形成したハーフミラーである。
【００１０】
（用語説明）
「複数のスラット（20,20,・・・）を閉じる」とは、複数のスラット（20,20,・・・）を上下方向に対する傾きを変化させ、前記の複数のスラット（20,20,・・・）をほぼ垂直状態にして、例えば室内の窓をブラインドした状態をいう。
「複数のスラット（20,20,・・・）を開く」とは、複数のスラット（20,20,・・・）を上下方向に対する傾きを変化させ、前記の複数のスラット（20,20,・・・）をほぼ水平状態にして、例えば室内の窓のブラインドを開放する状態をいう。
【００１１】
（作用）
複数のスラット（20,20,・・・）をほぼ垂直状態にして閉じたとき、昼間の場合、屋外の方が明るいので、屋外からの光の一部が複数のスラット（20,20,・・・）のハーフミラーによる反射機能にて明るい側の屋外からでは鏡となる。一方、暗い側の室内からは複数のスラット（20,20,・・・）のハーフミラーによる透光機能にて屋外を見ることができる。したがって、室内にいる人の閉塞感が緩和されるとともに、屋外からの遮光、斜熱、目隠しとなる。
【００１２】
夜間の場合、電灯によって室内の方が明るいので、暗い側の屋外から複数のスラット（20,20,・・・）のハーフミラーを通して室内が見えてしまう。しかし、金属薄膜層(22)の厚さを調整して、暗い側の屋外から明るい側の室内をぼんやり見える程度のハーフミラーを使用することができる。この場合、昼間では暗い側の室内から明るい側の屋外を見えにくくなるとしても、室内にいる人の閉塞感は緩和される。
【００１３】
複数のスラット（20,20,・・・）をほぼ水平状態にして開いたとき、屋外からの光が複数のスラット（20,20,・・・）のハーフミラーで反射して室内の上部へ入射するので、コスト高にならずに室内へ採光して明るくすることができる。
また、樹脂基板(21)は、一般的なハーフミラーのガラス基板よりも、操作時に発生する音を軽減することができる。
【００１４】
（第一の発明のバリエーション１）
第一の発明は、前記各スラット(20)の樹脂基板(21)において、内部に空洞(23)を形成することとすることができる。
ここで、全てのスラット(20)に空洞(23)を備えることとしてもよいし、一部のスラット(20)に空洞(23)を備えることとしてもよい。たとえば、寒い時期の断熱性向上のためには、上部に位置するスラット(20)に空洞(23)を備えることとすれば効果的である。
【００１５】
（作用）
前記のスラット(20)を用いたブラインド(10)は、樹脂基板(21)の空洞(23)によって保温効果あるいは断熱効果をもたらす。そのため、空洞(23)を備えた各スラット(20)によるブラインド(10)を採用した部屋は、断熱性の向上に寄与する。これによって、冷暖房の効果を高め、省エネルギに寄与する。
【００１６】
（第一の発明のバリエーション２）
第一の発明は、以下のようなバリエーションを提供することもできる。
すなわち、  前記各スラット(20)は、屋外側に向ける面が各スラット(20)の長手方向に垂直な断面で凸状の湾曲形状としてもよい。
なお、スラット(20)は、樹脂の押し出し成形によって製造するのが合理的であるので、長手方向に垂直な断面が同一であれば、様々なデザインを採用可能である。
【００１７】
（作用）
複数のスラット（20,20,・・・）をほぼ水平状態にして開いたとき、屋外からの光が複数のスラット（20,20,・・・）のハーフミラーで反射して室内の上部へ入射して採光する。この時、スラット(20)の上面が凸状の湾曲形状であるので、屋外からの光が反射して室内へ取り込まれる角度が反射位置によって変化するので分散された光となる。そのため、室内へ取り込まれた反射光は、ぼんやりした柔らかい光となる。
【発明の効果】
【００１８】
第一の発明によれば、複数のスラットを閉じた場合の室内にいる人の閉塞感を緩和し、複数のスラットを開いた状態でも、室内へ採光することを可能とするブラインドを提供することができた。
【図面の簡単な説明】
【００１９】
【図１】（ａ）は、本発明の実施形態のブラインドにおいて複数のスラットを閉じた状態を示す正面図である。（ｂ）は、複数のスラットを開けた状態を示す正面図である。
【図２】図１の矢視II−II線の断面図である。
【図３】図２におけるIII部のスラットを拡大した断面図である。
【図４】図３におけるスラットの部分的な斜視図である。
【図５】ハーフミラーの基本原理を説明するための断面図である。
【図６】ブラインドの複数のスラットを閉じた時に、屋外からの光が反射する状態を示す断面図である。
【図７】ブラインドの複数のスラットを開けた時に、屋外からの光が反射する状態を示す断面図である。
【図８】第二の実施形態のスラットを拡大した断面図である。
【図９】図８のスラットの部分的な斜視図である。
【図１０】図９のスラットにおける蓋部を分解した状態を示す部分的な斜視図である。
【図１１】別の実施形態のスラットを拡大した断面図である。
【図１２】図１１のスラットの部分的な斜視図である。
【図１３】第三の実施形態のスラットを拡大した断面図である。
【図１４】図１３のスラットの部分的な斜視図である。
【図１５】図１３のスラットにおける蓋部を分解した状態を示す部分的な斜視図である。
【発明を実施するための形態】
【００２０】
以下、本発明における実施形態について図面を参照して説明する。第一の実施形態を説明するために使用する図面は、図１から図７である。
【００２１】
図１では、ブラインド１０の全体的な構成を示し、複数のスラット２０，２０，・・・を開閉した状態を示す。図２では、ブラインド１０の側面から視た断面を示す。図３では、スラット２０の長手方向に垂直な断面を示す。図４では、スラット２０の端部付近の状態を示す。図５では、ハーフミラーの基本原理を説明する図である。図６では、複数のスラット２０，２０，・・・をほぼ垂直状態に閉じた時に、屋外の光が遮断される状態を示す。図７では、複数のスラット２０，２０，・・・をほぼ水平状態に開いた時に、屋外の光を室内へ採光する状態を示す。
【００２２】
第一の実施形態に係るブラインド１０は、図１（ａ），（ｂ）および図２に示すように、上下方向に間隔を介して配列された複数のスラット２０，２０，・・・と、複数のスラット２０，２０，・・・を支持するとともに複数のスラット２０，２０，・・・の角度を変えるスラット支持操作部１１を備える。
前記スラット支持操作部１１は、取付ボックス１２と、ボトムレール１３と、チルトドラム１４と、ラダーコード１５を備える。取付ボックス１２は、ブラインド１０を室内の窓３１に対面するようにして窓枠の上部あるいは壁に取り付ける取付具である。
【００２３】
チルトドラム１４は、取付ボックス１２の内部に回転可能に設けられ、取付ボックス１２の端部に吊り下げられる回転操作バー１６によって回転操作される。ボトムレール１３は、チルトドラム１４に昇降コード１７を介して吊り下げられる。
ラダーコード１５は、チルトドラム１４とボトムレール１３との間に掛け渡され、複数のスラット２０，２０，・・・を支持するものである。また、昇降用補助コード１８が、コード止めを介して昇降コード１７に連結している。なお、コード止めの図示は、省略した。
【００２４】
複数のスラット２０，２０，・・・は、ラダーコード１５によって上下方向に間隔を介して概ね平行となるように横方向に細長く延びるように配列して支持されている。各スラット２０は、図２に示すように薄板状に形成されている。
【００２５】
回転操作バー１６によって回転操作すると、チルトドラム１４が回転することによって、ラダーコード１５を介して複数の各スラット２０が図２において時計回り方向または反時計回り方向へ所定角度の範囲で回転する。すなわち、複数の各スラット２０が上下方向に対して右側へ傾斜する角度、あるいは左側へ傾斜する角度を調整することができる。
図１（ａ）は複数のスラット２０，２０，・・・を傾けて窓３１をブラインド１０した状態であり、図１（ｂ）は複数のスラット２０，２０，・・・をほぼ水平状態にして開けた状態である。
【００２６】
また、昇降用補助コード１８を引くと、昇降コード１７がボトムレール１３を引き上げるように引っ張られる。ボトムレール１３が上昇する際に、そのボトムレール１３によって下方側のスラット２０から順に間隔を狭めて重なりながら上昇し、窓３１が室内に露出することになる。
【００２７】
ボトムレール１３は、昇降用補助コード１８をコード止めで止めることで、任意の位置で停止させることができる。一方、昇降用補助コード１８をコード止めから解放すると、ボトムレール１３が自重によって下降する。それに伴って昇降コード１７も下降し、複数のスラット２０，２０，・・・は上方側のスラット２０から順に所定間隔の位置で停止しながら下降する。
【００２８】
次に、スラット２０について詳しく説明する。
本実施形態におけるスラット２０は、図３および図４に示すように、長手方向に垂直な断面の一例として平板状のスラット２０ａであり、透明な樹脂基板２１の片面に金属薄膜層２２を形成したハーフミラーである。前記の樹脂基板２１はアクリルなどを用いることができるが、特に限定されない。
前記の金属薄膜層２２は、本実施形態ではアルミ蒸着によって形成しているが、その他に、銀のように光の反射率が高い金属元素が用いられることが望ましい。錫あるいはその他の金属でもよい。
【００２９】
ハーフミラーは、基本原理として、図５に示すように入射した光の一部を反射して反射光となり、一部を透過させて透過光となる。ハーフミラーが明るい側と暗い側の間にあると、明るい側の光の一部がハーフミラーで反射することによって、明るい側からは鏡となる。しかし、前記の光の一部がハーフミラーを透過することによって、暗い側からは半透明となって明るい側を見ることができる。一方、暗い側からの光も、その一部がハーフミラーで反射し、一部がハーフミラーを透過するが、ハーフミラーを透過した光量が少ないので、明るい側の反射光にかき消されてしまう。
【００３０】
ハーフミラーにおける反射光と透過光の割合は、反射膜である金属薄膜層２２の厚さで調整することができる。金属薄膜層２２が薄いと透過光が増え、厚いと反射光が増える。したがって、金属薄膜層２２の厚さで、明るい側から暗い側を見た時の見え方を調整することができる。
【００３１】
前述のスラット２０ａを用いたブラインド１０は、複数のスラット２０ａ，２０ａ，・・・を図６において時計回り方向に回転してほぼ垂直状態にして閉じたとき、窓３１をハーフミラーでブラインドすることになる。
【００３２】
昼間の場合、屋外の方が明るいので、屋外からの光の一部が複数のスラット２０ａ，２０ａ，・・・のハーフミラーで反射することによって、明るい側の屋外からでは鏡となる。一方、暗い側の室内からは複数のスラット２０ａ，２０ａ，・・・のハーフミラーを通して屋外を見ることができる。
複数のスラット２０ａ，２０ａ，・・・を閉じてブラインド１０を閉めても、室内にいる人の閉塞感が緩和されるとともに、屋外からの遮光、斜熱、目隠しとなる。
【００３３】
夜間の場合、電灯によって明るくした室内の方が明るいので、暗い側の屋外から複数のスラット２０ａ，２０ａ，・・・のハーフミラーを通して室内が見えてしまうが、透明のガラスのように見えるわけではない。
この点を応用することで、バリエーションを形成してもよい。すなわち、金属薄膜層２２の厚さを調整して、暗い側の屋外から明るい側の室内を見えにくくなるように、ぼんやり見える程度のハーフミラーを使用することもできる。この場合、昼間では暗い側の室内から明るい側の屋外を見えにくくなるとしても、室内にいる人の閉塞感は緩和される。
【００３４】
複数のスラット２０ａ，２０ａ，・・・を図７において反時計回り方向に回転してほぼ水平状態にして開いたとき、屋外からの光が複数のスラット２０ａ，２０ａ，・・・のハーフミラーで反射して室内の上部へ入射する。その結果、コスト高にならずに室内へ採光して明るくすることができる。しかも、複数のスラット２０ａ，２０ａ，・・・がほぼ水平状態であるので、室内から屋外を見ることができる。
【００３５】
図３では金属薄膜層２２は樹脂基板２１の上面に形成しているが、下面に形成してもよい。しかし、金属薄膜層２２を樹脂基板２１の下面に形成した場合、屋外からの光が樹脂基板２１を通過して反射する。一方、金属薄膜層２２を上面に形成する場合、屋外からの光が樹脂基板２１を通過せずに、直に金属薄膜層２２で反射して室内へ採光することができるので望ましい。
また、樹脂基板２１は、一般的なハーフミラーのガラス基板とは異なって樹脂特有の消音効果もある。
【００３６】
次に、他の実施形態のスラット２０ｂについて説明する。前述の図３におけるスラット２０ａと同様の部分は同符号を付して説明し、異なる部分だけを説明する。
【００３７】
スラット２０ｂは、図８から図１０に示すように、長手方向に垂直な断面の一例として平板状であり、透明な樹脂基板２１の片面に金属薄膜層２２を形成したハーフミラーである。図３におけるスラット２０ａと異なる点は、樹脂基板２１が長手方向に垂直な断面で中空の空洞２３を形成していることである。
この場合、図９および図１０に示すように、スラット２０ｂの両端の空洞２３を塞ぐための蓋部２４を取り付ける。例えば、前記の蓋部２４の片面に、空洞２３へ挿入して固定するための爪部２４ａを固定具として設けることができる。
【００３８】
前記の蓋部２４は、爪部２４ａ以外の他の固定具を用いることもでき、あるいは接着剤等で固定することできるので、特に限定されない。
【００３９】
前述のスラット２０ｂを用いたブラインド１０は、樹脂基板２１の空洞２３によって保温効果あるいは断熱効果をもたらすことができる。その他の作用は、前述のスラット２０ａを用いたブラインド１０とほぼ同様である。
【００４０】
次に、別の実施形態のスラット２０ｃについて説明する。前述の図３におけるスラット２０ａと同様の部分は同符号を付して説明し、異なる部分だけを説明する。
【００４１】
スラット２０ｃは、図１１および図１２に示すように、長手方向に垂直な断面の一例として屋外側に向ける上面が僅かに凸状の湾曲形状であり、透明な樹脂基板２１の片面に金属薄膜層２２を形成したハーフミラーである。
なお、図１１では金属薄膜層２２は上面に形成しているが、下面に形成してもよい。しかし、図３の場合で説明したのと同様に、金属薄膜層２２を樹脂基板２１の上面に形成する方が、屋外からの光が樹脂基板２１を通過せずに、直に金属薄膜層２２で反射して室内へ採光することができるので望ましい。
【００４２】
前述のスラット２０ｃを用いたブラインド１０は、複数のスラット２０ｃ，２０ｃ，・・・をほぼ水平状態にし、屋外からの光をハーフミラーで反射させて室内の上部へ入射することで室内へ採光する。この時、スラット２０ｃの上面が僅かに凸状の湾曲形状であるので、屋外からの光が反射する角度は反射位置によって変化する。そのために室内へ入射する光の入射角度が種々に変化するので分散光となり、全体の反射光はぼんやりした柔らかい光となる。
その他の作用は、前述のスラット２０ａを用いたブラインド１０とほぼ同様である。
【００４３】
次に、さらに別の実施形態のスラット２０ｄについて説明する。前述のスラット２０ａ、スラット２０ｂ、スラット２０ｃと同様の部分は同符号を付して説明し、異なる部分だけを説明する。
【００４４】
スラット２０ｄは、図１３から図１５に示すように、長手方向に垂直な断面の一例として屋外側に向ける上面が僅かに凸状の湾曲形状であり、透明な樹脂基板２１の片面に金属薄膜層２２を形成したハーフミラーである。図１１におけるスラット２０ｃと異なる点は、樹脂基板２１が長手方向に垂直な断面で中空の空洞２５を形成していることである。
【００４５】
この場合、図１４および図１５に示すように、スラット２０ｄの両端の空洞２５を塞ぐための蓋部２６を取り付ける。前記蓋部２６の取付構造は、図８のスラット２０ｂの場合とほぼ同様に、前記の蓋部２６の片面に、空洞２５へ挿入して固定するための爪部２６ａを固定具として設けることができる。あるいは、その他の取付構造とすることができる。
【００４６】
前述のスラット２０ｄを用いたブラインド１０は、樹脂基板２１の空洞２５によって保温効果あるいは断熱効果をもたらすことができる。その他の作用は、前述のスラット２０ｃを用いたブラインド１０とほぼ同様である。
【産業上の利用可能性】
【００４７】
本発明は、室内装飾関連の製造、販売、インテリア、建設業などにおいて、利用可能性を有する。
【符号の説明】
【００４８】
１０；ブラインド                １１；スラット支持操作部
１２；取付ボックス              １３；ボトムレール
１４；チルトドラム              １５；ラダーコード
１６；回転操作バー              １７；昇降コード
１８；昇降用補助コード
２０；スラット                  ２１；樹脂基板
２２；金属薄膜層                  ２３，２５；空洞
２４，２６；蓋部                  ２４ａ，２６ａ；爪部
３１；窓
【図１】
2016156254.tif 000003
【図２】
2016156254.tif 000004
【図３】
2016156254.tif 000005
【図４】
2016156254.tif 000006
【図５】
2016156254.tif 000007
【図６】
2016156254.tif 000008
【図７】
2016156254.tif 000009
【図８】
2016156254.tif 000010
【図９】
2016156254.tif 000011
【図１０】
2016156254.tif 000012
【図１１】
2016156254.tif 000013
【図１２】
2016156254.tif 000014
【図１３】
2016156254.tif 000015
【図１４】
2016156254.tif 000016
【図１５】
2016156254.tif 000017